(57)【要約】【課題】  赤色、緑色、青色を発光色とするＬＥＤ素子を各々複数備えて、各ＬＥＤ素子の発光を混色して白色光を生成し、見る角度に関わらず混色性が良好なＬＥＤ照明器具を提供する。【解決手段】  実装基板３ａ上に、赤，緑，青のＬＥＤ素子３Ｒ，３Ｇ，３Ｂを、ハニカム状に配置した複数の正六角形の各頂点に１つづつ配置し、ＬＥＤ素子３Ｒ，３Ｇ，３Ｂの各発光が混色して白色光を生成する。【選択図】図１
2007080529.tif 000002
【特許請求の範囲】
【請求項１】
赤色、緑色、青色を発光色とするＬＥＤ素子を各々複数備えて、各ＬＥＤ素子の発光を混色して白色光を生成する照明器具において、ハニカム状に配置した複数の正六角形の各頂点に１つのＬＥＤ素子を配置することを特徴とするＬＥＤ照明器具。
【請求項２】
前記正六角形の中心に補色のためのＬＥＤ素子を配置することを特徴とするＬＥＤ照明器具。
【発明の詳細な説明】
【技術分野】
【０００１】
本発明は、ＬＥＤ照明器具に関するものである。
【背景技術】
【０００２】
図６に示すように、赤色（Ｒ）を発光色とするＬＥＤ素子３Ｒ，緑色（Ｇ）を発光色とするＬＥＤ素子３Ｇ，青色（Ｂ）を発光色とするＬＥＤ素子３Ｂを各々複数備えて、赤，緑，青のＬＥＤ素子３Ｒ，３Ｇ，３Ｂの発光を混色して白色光を生成する照明器具があり、従来、ＬＥＤ素子３Ｒ，３Ｇ，３Ｂは、マトリクス状（格子状）に配置されていた。（例えば、特許文献１参照）
【特許文献１】特開２００２−２７００１１号公報（段落番号［００５５］［００６１］、図２）
【発明の開示】
【発明が解決しようとする課題】
【０００３】
しかし、図６に示すように、赤，緑，青のＬＥＤ素子３Ｒ，３Ｇ，３Ｂをマトリクス状に配置した場合、見る角度によっては混色性が悪化し、生成される光が白色に見えないことがあった。
【０００４】
本発明は、上記事由に鑑みてなされたものであり、その目的は、赤色、緑色、青色を発光色とするＬＥＤ素子を各々複数備えて、各ＬＥＤ素子の発光を混色して白色光を生成し、見る角度に関わらず混色性が良好なＬＥＤ照明器具を提供することにある。
【課題を解決するための手段】
【０００５】
請求項１の発明は、赤色、緑色、青色を発光色とするＬＥＤ素子を各々複数備えて、各ＬＥＤ素子の発光を混色して白色光を生成する照明器具において、ハニカム状に配置した複数の正六角形の各頂点に１つのＬＥＤ素子を配置することを特徴とする。
【０００６】
この発明によれば、見る角度に関わらず良好な混色性を維持して、安定した白色光を生成することができる。
【０００７】
請求項２の発明は、請求項１において、前記正六角形の中心に補色のためのＬＥＤ素子を配置することを特徴とするＬＥＤ照明器具。
【０００８】
この発明によれば、見る角度に関わらず、さらに安定した白色光を生成することができる。
【発明の効果】
【０００９】
以上説明したように、本発明では、赤色、緑色、青色を発光色とするＬＥＤ素子を各々複数備えて、各ＬＥＤ素子の発光を混色して白色光を生成する照明器具において、見る角度に関わらず良好な混色性を維持して、安定した白色光を生成することができるという効果がある。
【発明を実施するための最良の形態】
【００１０】
以下、本発明の実施の形態を図面に基づいて説明する。
【００１１】
（実施形態１）
図２（ａ）（ｂ）は本実施形態のＬＥＤ照明器具の一部を示す分解斜視図、図３はＬＥＤ照明器具の断面図である。
【００１２】
本実施形態のＬＥＤ照明器具は、図３に示すように、天井板ＣＢの裏面に設置され、商用電源（交流電源）からの交流電圧を、降圧を含めて整流および平滑などして所定レベルの直流の低電圧を得るＬＥＤ電源供給部５を備えているほか、本体（照明器具本体）１、器具外郭（枠）２、ＬＥＤユニット３およびレンズ体４により構成され天井板ＣＢの表面に取り付けられる本体部を備えている。なお、図２（ａ）（ｂ）の例では、本体１および器具外郭２により器体が構成されるようになっている。
【００１３】
本体１は、図２（ａ）（ｂ）に示すように、例えば絶縁性の樹脂成形により、円状の底部１ａと、この外周縁から下方に延設された円筒部１ｂとを一体に有する形状に形成されている。底部１ａには、天井板ＣＢの孔Ｈに通された電源接続線Ｗ１を介してＬＥＤ電源供給部５の出力に電気的に接続される接続部（コネクタ）１ｃが下面中央に設けられているとともに、当該本体１を天井板ＣＢの表面にねじ止め固定するための一対の取付孔１ｄが接続部１ｃの両側に穿設されている。他方、円筒部１ｂには、ねじ溝１ｅが外周壁に形成されている。
【００１４】
器具外郭２は、例えば絶縁性の樹脂成形により、円状の底部２ａと、この外周縁から上方に延設された円筒部２ｂとを一体に有する形状に形成されている。底部２ａには、円状の孔２ｃが中央に穿設されている一方、円筒部２ｂには、本体１のねじ溝１ｅと嵌合するねじ溝２ｄが内周壁に形成されている。
【００１５】
ＬＥＤユニット３は、電子部品が実装され器具本体１内に着脱自在に収納される円状の実装基板（プリント基板）３ａに形成されており、器具本体１の接続部１ｃにコネクタ接続される接続部３ｃを実装基板３ａの上面中央に備え、実装基板３ａの下面には、赤色（Ｒ）を発光色とする赤色ＬＥＤ素子３Ｒ，緑色（Ｇ）を発光色とする緑色ＬＥＤ素子３Ｇ，青色（Ｂ）を発光色とする青色ＬＥＤ素子３Ｂを各々複数実装している。これらのＬＥＤ素子３Ｒ，３Ｇ，３Ｂには、ＬＥＤ電源供給部５から接続部１ｃ，３ｃを介して点灯電力が供給され、赤．緑，青のＬＥＤ素子３Ｒ，３Ｇ，３Ｂの各発光が混色して白色光を生成している。なお、図２（ａ）（ｂ）中の３ｄはレンズ体４を位置決めするための孔である。
【００１６】
レンズ体４は、例えば絶縁性の樹脂成形により、円状の底部４ａと、この外周縁から上方に延設された円筒部４ｂとを一体に有する形状に形成されている。底部４ａには、ＬＥＤユニット３の一対の孔３ｄに嵌入する一対のピン４ｃが上方に立設されているほか、ＬＥＤユニット３の各ＬＥＤ素子３Ｒ，３Ｇ，３Ｂに対向して、発光を制御するための各レンズ４ｄが配置されている。なお、レンズ体４も本体１内に着脱（交換）自在に収納されるようになっている。
【００１７】
次に、ＬＥＤ照明器具の天井板ＣＢへの取付手順について説明すると、まず、本体１を各取付孔１ｄの位置でねじ止めして本体１を天井板ＣＢの表面に固定する。この後、ＬＥＤユニット３の各孔３ｄにレンズ体４の各ピン４ｃを挿入して、ＬＥＤユニット３をレンズ体４に装着する。そして、ＬＥＤユニット３の接続部３ｃを本体１の接続部１ｃにコネクタ接続して、ＬＥＤユニット３およびレンズ体４を本体１に収納する。この後、本体１のねじ溝１ｅに器具外郭２のねじ溝２ｄをねじ合わせて、器具外郭２を本体１に取り付ける。
【００１８】
図１は、ＬＥＤユニット３を下面から見た平面図で、赤，緑，青のＬＥＤ素子３Ｒ，３Ｇ，３Ｂは、ハニカム状に配置した複数の正六角形の各頂点に１つづつ配置されており、本実施形態では、隣り合うＬＥＤ素子は互いに異なる発光色となるように配置される。このように、ハニカム状に赤，緑，青のＬＥＤ素子３Ｒ，３Ｇ，３Ｂを配置することで、見る角度に関わらず良好な混色性を維持して、安定した白色光を生成することができる。
【００１９】
図４は、レンズ体４を下面から見た平面図で、赤，緑，青のＬＥＤ素子３Ｒ，３Ｇ，３Ｂに各々対向して各レンズ４ｄが配置されており、その配置は、ＬＥＤ素子３Ｒ，３Ｇ，３Ｂと同様に、ハニカム状に配置した複数の正六角形の各頂点に１つづつ配置される。
【００２０】
なお、本実施形態では、ＬＥＤ素子３Ｒ，３Ｇ，３Ｂを３つの正六角形の各頂点に１つづつ配置したが、正六角形の数は３つに限定されるものではなく、正六角形の数をさらに増やしてＬＥＤ素子３Ｒ，３Ｇ，３Ｂの数をさらに増やしてもよい。
【００２１】
（実施形態２）
図５は、実施形態１の赤，緑，青のＬＥＤ素子３Ｒ，３Ｇ，３Ｂで形成される正六角形の中心に、補色のためのＬＥＤ素子３Ｘを実装したもので、ＬＥＤ素子３Ｘには白色を含む任意の色を用いることで、さらに安定した白色光を生成することができる。
【図面の簡単な説明】
【００２２】
【図１】本発明の実施形態１のＬＥＤ照明器具のＬＥＤ素子の配置を示す図である。
【図２】（ａ）（ｂ）同上のＬＥＤ照明器具の一部を示す分解斜視図である。
【図３】同上のＬＥＤ照明器具の断面図である。
【図４】同上のレンズ体を示す平面図である。
【図５】本発明の実施形態２のＬＥＤ照明器具のＬＥＤ素子の配置を示す図である。
【図６】従来のＬＥＤ照明器具のＬＥＤ素子の配置を示す図である。
【符号の説明】
【００２３】
３  ＬＥＤユニット
３ａ  実装基板
３Ｒ  赤色ＬＥＤ素子
３Ｇ  緑色ＬＥＤ素子
３Ｂ  青色ＬＥＤ素子
【図１】
2007080529.tif 000003
【図２】
2007080529.tif 000004
【図３】
2007080529.tif 000005
【図４】
2007080529.tif 000006
【図５】
2007080529.tif 000007
【図６】
2007080529.tif 000008